【手続補正書】
【提出日】平成15年12月4日(2003.12.4)
【手続補正１】
【補正対象書類名】明細書
【補正対象項目名】特許請求の範囲
【補正方法】変更
【補正の内容】
【特許請求の範囲】
【請求項１】
トラックに情報を記録すると共に、前記トラックの片側の側壁が、回転同期情報またはアドレス情報に応じて所定の周波数でウォブルしている光記録媒体において、
前記トラックの片側の側壁に、上記周波数とは異なる周波数で、記録再生クロックを発生させる基準信号の切り欠きビットが挿入記録されていることを特徴とする光記録媒体。
【請求項２】
前記切り欠きビットは、前記トラックの片側の側壁に形成された出っ張りまたはへこみからなることを特徴とする請求項１に記載の光記録媒体。
【請求項３】
前記切り欠きビットは、連続した複数の切り欠きからなることを特徴とする請求項１に記載の光記録媒体。
【請求項４】
情報記録領域が、少なくとも前記切り欠きビットを除く領域であることを特徴とする請求項１に記載の光記録媒体。
【請求項５】
前記切り欠きビットの出っ張りまたはへこみは、相対する側壁まで達しないで形成されてなることを特徴とする請求項２に記載に光記録媒体。
【請求項６】
前記切り欠きビットは、前記トラックの片側の側壁に形成された出っ張り及びへこみの両方を含んでなることを特徴とする請求項２または請求項５に記載の光記録媒体。
【請求項７】
前記切り欠きビットは、前記ウォブルに同期して設けられてなることを特徴とする請求項１に記載の光記録媒体。
【請求項８】
ランドとグルーブの両方をトラックとして情報を記録すると共に、前記グルーブの片側の側壁が、回転同期情報又はアドレス情報に応じてウォブルしている光記録媒体において、
前記グルーブの片側の側壁に、上記グルーブの側壁のウォブルから読み出されるウォブル信号に同期して、上記ランドとグルーブとを識別するための信号の切り欠きビットが挿入記録してなることを特徴とする光記録媒体。
【請求項９】
トラックの片側の側壁がウォブルされたトラックを有し、該トラックから読み出されるウォブル信号とは異なる周波数の切り欠きビットを備えた光記録媒体に情報の記録再生を行う光記録再生装置であって、
前記トラックから再生されたウォブル信号をもとに、前記光記録媒体と光ビームの相対速度を制御する記録媒体駆動制御手段と、
前記切り欠きビットから基準信号を抽出する基準信号抽出手段と、
前記基準信号を入力し、これに同期した記録再生クロックを発生させる記録再生クロック発生手段と、
前記記録再生クロックに基づき記録情報のビットの記録位置を前記切り欠きビットの位置に同期させて情報の記録再生を行う記録再生手段とを備えることを特徴とする光記録再生装置。
【請求項１０】
トラックの片側の側壁がウォブルされたトラックを有し、該トラックから読み出されるウォブル信号とは異なる周波数の切り欠きビットを備えた光記録媒体に情報の記録再生を行う光記録再生装置であって、
前記トラックから再生されたウォブル信号をもとに、アドレス情報を再生するアドレス情報再生手段と、
前記切り欠きビットから基準信号を抽出する基準信号抽出手段と、
前記基準信号を入力し、これに同期した記録再生クロックを発生させる記録再生クロック発生手段と、
前記記録再生クロックに基づき記録情報のビットの記録位置を前記切り欠きビットの位置に同期させて情報の記録再生を行う記録再生手段とを備えることを特徴とする光記録再生装置。
【請求項１１】
上記切り欠きビットは、連続した複数の切り欠きからなり、上記切り欠きビットの切り欠きパターンを検出するパターン検出手段を備えることを特徴とする請求項９または請求項１０に記載の光記録再生装置。
【請求項１２】
少なくとも前記切り欠きビットを除く領域に情報を記録する情報記録手段を備えることを特徴とする請求項１０に記載の光記録再生装置。
【請求項１３】
グルーブの片側の側壁がウォブルされたトラックを有し、前記グルーブから読み出されるウォブル信号とは異なる周波数の切り欠きビットを備えた光記録媒体に情報の記録再生を行う光記録再生装置であって、
前記切り欠きビットから基準信号を抽出する基準信号抽出手段と、
前記基準信号に基づいて前記ウォブル信号のレベルを検出して、光ビームがランドかグルーブのどちらに照射されているかを判別するランド／グルーブ識別手段を備えることを特徴とする光記録再生装置。
【請求項１４】
前記ランド／グルーブ識別手段の識別結果に基づいて、トラックサーボ引き込み開始タイミングを選択する引き込みタイミング選択手段を備え、ランドまたはグルーブのいづれか一方に選択的にトラックサーボの引き込みを行うことを特徴とする請求項１３に記載の光記録再生装置。
【請求項１５】
トラックを構成するランド及びグルーブの少なくともいずれか一方に情報の記録を行う光記録媒体の製造方法において、
第１の光ビームにより前記トラックの一方の側壁をカッティングする第１の工程と、
第２の光ビームにより前記トラックの他方の側壁をウォブルしながらカッティングする第２の工程とを含み、
第２の工程において、第２の光ビームによってカッティングされる前記トラックの側壁に所定の周波数で切り欠きビットを形成することを特徴とする光記録媒体の製造方法。
【請求項１６】
切り欠きビットを記録する位置で第２の光ビームの光量を変化させて切り欠きビットを形成することを特徴とする請求項１５に記載の光記録媒体の製造方法。
【請求項１７】
切り欠きビットを記録する位置で第２の光ビームの照射時間に応じて切り欠きビットを形成することを特徴とする請求項１５に記載の光記録媒体の製造方法。
【請求項１８】
トラックを構成するランド及びグルーブの少なくともいずれか一方に情報の記録を行う光記録媒体の製造方法において、
第１の光ビームにより前記トラックの一方の側壁をカッティングする第１の工程と、
第２の光ビームにより前記トラックの他方の側壁をウォブルしながらカッティングする第２の工程とを含み、
第２の工程において、前記トラックの切り欠きビットを記録する位置で第２の光ビームを通常の周波数より高くすることを特徴とする光記録媒体の製造方法。
【請求項１９】
トラックに情報を記録すると共に、前記トラックの側壁が、回転同期情報またはアドレス情報に応じて所定の周波数でウォブルしている光記録媒体において、
前記トラックに、上記周波数とは異なる周波数で、切り欠きビットが挿入記録されていることを特徴とする光記録媒体。
【請求項２０】
トラックの側壁がウォブルされたトラックを有し、該トラックから読み出されるウォブル信号とは異なる周波数の切り欠きビットを備えた光記録媒体に情報の記録再生を行う光記録再生装置であって、
前記トラックから再生されたウォブル信号をもとに、前記光記録媒体と光ビームとの相対速度を制御する記録媒体駆動制御手段と、
前記切り欠きビットから基準信号を抽出する基準信号抽出手段と、
前記基準信号に基づき記録情報のビットの記録位置を前記切り欠きビットの位置に同期させて情報の記録再生を行う記録再生手段とを備えることを特徴とする光記録再生装置。
【請求項２１】
トラックの側壁がウォブルされたトラックを有し、該トラックから読み出されるウォブル信号とは異なる周波数の切り欠きビットを備えた光記録媒体に情報の記録再生を行う光記録再生装置であって、
前記トラックから再生された信号をもとに、アドレス情報を再生するアドレス情報再生手段と、
前記切り欠きビットから基準信号を抽出する基準信号抽出手段と、
前記基準信号に基づき記録情報のビットの記録位置を前記切り欠きビットの位置に同期させて情報の記録再生を行う記録再生手段とを備えることを特徴とする光記録再生装置。